(57)【要約】【課題】  棚板上部に収納物を収納できるとともに引出内に小物を収納することができ、引出の確実な開閉や落下防止及び棚板の固定を容易に行うことができる安定かつ安全な引出付き棚板を提供することを目的とする【解決手段】組立式収納庫において、収納物を効率良く収納するための棚板に小物を効率良く収納するための引出しを備え、この引出付き棚板が棚板部と引出部とで構成され、前記棚板部と引出部はローラーが取付けられているとともに、棚板部のガイドレール後方下部に傾斜面を、引出部のレール後方にストッパーを形成し、前記引出付き棚板の上面と収納庫内面とを棚押さえ金具で連結固定することで偏荷重や引出動作による引出付き棚板の浮き上がりや外れを防止する構造とする。【選択図】図２          
0003102846.tif 000002
【実用新案登録請求の範囲】
【請求項１】
床板の周縁に左右一対の側壁パネル、後壁パネル及び後壁連結パネルを立設し、上面開口部に屋根を設け、前面開口部に開閉扉を設けた組立式収納庫において、収納物を効率良く収納するための棚板に、さらに小物を効率良く収納するための引出を備えたことを特徴とする引出付き棚板。
【請求項２】
前記引出付き棚板が棚板部と引出部で構成され、前記棚板部は左右下部にコ字状のガイドレール、前記引出部は左右下部に逆Ｌ字状のレールを設け、前記ガイドレールの前方にローラーを取付けるとともに下部折曲縁部の後方に徐々に低くなる傾斜面を形成し、前記レールの後方にローラーを取付けるとともに上部折曲縁部後方にストッパーを設けたことを特徴とする請求項１記載の引出付き棚板。
【請求項３】
収納庫内面中央部に棚板支持フレームを組立て、収納庫内面及び棚支柱側面に構成した棚受金具係止孔の任意位置に棚受金具を係止し、前記棚受金具に係止するように引出付き棚板を設け、前記引出付き棚板後部と収納庫後部とを棚押さえ金具で連結固定することを特徴とする請求項１または２記載の引出付き棚板。
【考案の詳細な説明】
【技術分野】
【０００１】
本考案は、組立式収納庫に取付ける棚板に係るもので、特に棚板と引出を一体的に構成することで収納庫内部に容易に引出機能を取付け可能とする引出付き棚板に関するものである。
【背景技術】
【０００２】
引出機能を有する収納庫の従来の技術として、収納庫の左右側壁内側に引出用サスペンションを取り付け可能な取付部を形成し、引出を出し入れ可能に支持する構造や収納庫内部に設置した棚板の左右上面に一対のガイド部材を固定し引出を出し入れ可能に設ける技術が知られている。しかしながら、前記従来技術は引出式収納庫の構造のものであって、開閉扉を有する収納庫において引出を備える技術ではなく、棚板と引出を一体的に構成すると同時に棚板と引出それぞれに収納機能を持たせる技術の記載や示唆もなされていない。
【０００３】
一方、従来において収納庫内部における小物の収納は小物を整理するための別の収納ケースに小物を収納した後にその収納ケースを収納庫内に収納するため手間やコストがかかると同時に効率良く収納できないことがある。さらに、棚板の取付は棚受金具や棚受フックに係止する方法が一般的であるが安定性が不充分であり、引出構造に関しても確実に閉まりきっていない場合や偏荷重または外部からの衝撃で容易に引出が開いてしまうことがある。
【特許文献１】特開２００２−４５２５０号公報
【特許文献２】特開平１１−１２７９８９号公報
【考案の開示】
【考案が解決しようとする課題】
【０００４】
本考案は、このような問題点を解決しようとするもので、棚板上部に収納物を収納できるとともに引出内に小物を収納することができ、引出の確実な開閉と落下防止を行い、棚押さえ金具によって棚板の浮き上がりまたは棚板が外れることを防止する引出付き棚板の提供を目的とする。
【課題を解決するための手段】
【０００５】
上記課題を解決するために請求項１において、床板の周縁に左右一対の側壁パネル、後壁パネル及び後壁連結パネルを立設し、上面開口部に屋根を設け、前面開口部に開閉扉を設けた組立式収納庫において、収納物を効率良く収納するための棚板に、さらに小物を効率良く収納するための引出を備えたことを特徴とする構造とした。
【０００６】
請求項２においては前記引出付き棚板が棚板部と引出部で構成され、前記棚板部は左右下部にコ字状のガイドレール、前記引出部は左右下部に逆Ｌ字状のレールを設け、前記ガイドレールの前方にローラーを取付けるとともに下部折曲縁部の後方に徐々に低くなる傾斜面を形成し、前記レールの後方にローラーを取付けるとともに上部折曲縁部後方にストッパーを設ける構造とした。
【０００７】
請求項３では収納庫内面中央部に棚板支持フレームを組立て、収納庫の内面及び棚支柱側面に構成した棚受金具係止孔の任意位置に棚受金具を係止し、前記棚受金具に係止するように引出付き棚板を設け、前記引出付き棚板後部と収納庫後部とを棚押さえ金具で連結固定する構造とした。
【考案の効果】
【０００８】
本考案の引出付き棚板は、棚板に引出機能を付加することにより、従来は収納場所や収納方法に手間がかかったり、別の収納ケースに整理及び収納していた小物を引出内に収納することができ、棚板上部空間あるいは引出付き棚板の下部空間を利用して引出に収納できない比較的大きなモノや立てた状態で収納するモノを収納可能とすることで、収納効率の向上及び収納スペースの無駄を省くことができる。  
【０００９】
また、引出付き棚板に設けられるガイドレールの後方下部に傾斜面を形成することで、確実に引出を閉めることができ、多少の揺れや衝撃で引出しが開くことを防止し、レール後方のストッパーが引出しの開き過ぎを防止すると同時に落下防止機能を果たしている。さらに、棚固定金具によって引出付き棚板と収納庫が確実に連結固定されることで安定かつ安全に使用することができる。  
【考案を実施するための最良の形態】
【００１０】
組立式収納庫において、棚板に小物を効率良く収納するための引出しを備え、引出付き棚板が棚板部と引出部で構成され、前記棚板部は左右下部にコ字状のガイドレール、前記引出部は左右下部に逆Ｌ字状のレールを設け、前記ガイドレールは前方にローラーを取付けるとともに下部折曲縁部の後方に徐々に低くなる傾斜面を形成し、前記レールは後方にローラーを取付けるとともに上部折曲縁部後方にストッパーを設け、前記引出付き棚板後部と収納庫後部とを連結固定する棚押さえ金具を有し、前記棚押さえ金具のクランク部の一方が引出付き棚板を支持する前記棚受金具が係止された棚受金具係止孔より上部の棚受金具係止孔に挿入され、他方のクランク部が棚板上面で当接固定する。
【実施例１】
【００１１】
以下、考案の実施の形態を図面を参照して説明する。図１は本考案の実施例にかかる引出付き棚板を取付けた組立式収納庫の斜視図であり、図２は実施例の取付状態を示した斜視図、図３は取付状態を分解して示した斜視図、図４は引出付き棚板の引出動作を示す断面図である。１は収納庫本体であり、収納庫１の外観は図１で示すように屋根２、左右一対の側壁パネル３・３、扉４、床５、後壁パネル６、後壁連結パネル９からなる。
【００１２】
収納庫１内部の状態は、図２と図３で示すように後壁連結パネル７の上下位置に棚桟連結金具１１・１１を係止固定させ、棚桟連結金具１１において垂直方向に設けられた棚桟連結孔に棚桟１０後部に設けられた突起部を挿入固定し、上下の棚桟１０前部を棚支柱９の上下においてビス止めすることで棚支持フレームを形成し、棚支柱９、後壁連結パネル７及び側壁パネル３内側前後に形成している棚受金具係止孔１４に棚受金具１３を平行な任意位置に取付け、引出付き棚板８を棚受金具１３に係止固定している。
【００１３】
引出付き棚板８と収納庫１とを連結固定する棚押さえ金具１２は、棚押さえ金具１２の上部クランク部を後壁連結パネル７及び側壁３内側後部に形成している棚受金具係止孔１４の棚受金具１３を取り付けている位置より一段上の棚受金具係止孔１４に挿入した後、棚押さえ金具１２・１２の下部クランク部を棚板上面に当接させ、当接面をビス止めする。
【００１４】
引出付き棚板８は棚板部８１と引出部８２からなり、図４で示すように棚板部８１下部のガイドレール前方下部にローラー１５、引出部８２のレール後方下部にローラー１６が取付けられており、棚板部８１に引出部８２を取付けることでローラー１６が棚板部８１のガイドレールを前後移動するとともに、ローラー１５がレールの動作をよりスムーズなものにしている。
【００１５】
さらに、ガイドレール後方下部において水平から下方への傾斜面を形成することで、傾斜面の上方位置にローラー１６が位置すると自重で傾斜面の下方位置に移動し、（ａ）の状態となる。この動作により容易かつ確実に閉めることができ、下方位置の状態において外部からの衝撃や偏荷重によって容易に引出が開くことを防止している。また、引出部８２のレール上部後方にストッパー１７を設け、（ｃ）の状態にあるように引出を引き出すと、ストッパー１７はローラー１５に当接して引出幅の制限と落下の防止を行う。
【産業上の利用可能性】
【００１６】
引出付き棚板を取付けることで、棚板における収納に加え、引出に小物を収納することで、収納効率の向上を図り、かつ棚押さえ金具を設け、引出付き棚板の棚板部のガイドレール後方下部に傾斜面を、レール後方上部にストッパーを形成することで、簡単に取り付けることができ、安定かつ安全に収納庫を使用できる。
【図面の簡単な説明】
【００１７】
【図１】本考案の実施例にかかる引出付き棚板を備えた組立式収納庫の斜視図
【図２】実施例の取付状態を示した斜視図
【図３】取付状態を分解して示した斜視図
【図４】引出付き棚板の引出動作を示した断面図
【符号の説明】
【００１８】
７…後壁連結パネル
８…引出付き棚板
９…棚支柱
１１…棚桟連結金具
１２…棚押さえ金具
１４…棚受金具係止孔
１５・１６…ローラー
１７…ストッパー
８１…棚板部
８２…引出部
【図１】
0003102846.tif 000003
【図２】
0003102846.tif 000004
【図３】
0003102846.tif 000005
【図４】
0003102846.tif 000006